(57)【要約】【課題】  時刻修正時に電子時計に外部衝撃が加わっても、ロータ軸がずれたり、折損したりしないようにすること。【解決手段】  時計用モータのロータ１０は、ロータ軸１１と上側軸受１４と下側軸受１５を有する。ロータ軸１１には、上ホゾ１１ａと下ホゾ１１ｂが形成されている。上側軸受１４は、上ホゾ１１ａを受けるホゾ穴１４ａが形成された肉厚円筒部材であり、輪列受２から延伸した上側板バネ２１によって支持されている。また、下側軸受１５は、下ホゾ１１ｂを受けるホゾ穴１５ａが形成された肉厚円筒部材であり、地板１から延伸した下側板バネ２２によって支持されている。上側板バネ２１と下側板バネ２２はロータ１０の衝撃吸収部材として機能する。【選択図】  図１
2006226771.tif 000002
【特許請求の範囲】
【請求項１】
ロータマグネットが取り付けられたロータであってロータ軸にはホゾが且つ軸受にはホゾ穴がそれぞれ形成されたロータと前記ロータと電磁的に作用するステータとで構成された時計用モータを備えた電子時計において、前記軸受は衝撃吸収部材によって支持されていること特徴とする電子時計。
【請求項２】
前記軸受は肉厚円筒部材であって、前記衝撃吸収部材は地板や輪列受から前記軸受まで延伸した板バネであることを特徴とする請求項１記載の電子時計。
【請求項３】
前記板バネは、地板や輪列受から前記軸受まで直線的に延伸した腕状板バネであることを特徴とする請求項２記載の電子時計。
【請求項４】
前記腕状板バネは、１本の腕部を有するものであることを特徴とする請求項３記載の電子時計。
【請求項５】
前記腕状板バネは、等角度間隔に配置された３本の腕部を有するものであることを特徴とする請求項３記載の電子時計。
【請求項６】
前記板バネは、地板や輪列受から前記軸受まで渦巻き状に延伸した渦巻き状板バネであることを特徴とする請求項２記載の電子時計。
【請求項７】
前記軸受と前記板バネは、地板と一体に形成されたものであることを特徴とする請求項２乃至６のいずれかに記載の電子時計。
【請求項８】
前記衝撃吸収部材は、ホゾ穴として機能するコイルバネであることを特徴とする請求項１記載の電子時計。
【請求項９】
前記衝撃吸収部材は、ホゾ穴として機能するコイルバネであり、且つ前記コイルバネの端部は地板や輪列受に形成された支持穴に装着されていることを特徴とする請求項８記載の電子時計。
【発明の詳細な説明】
【技術分野】
【０００１】
本発明は、耐衝撃構造を備えた電子時計に関し、特にロータの耐衝撃構造に関する。
【背景技術】
【０００２】
電子時計に採用されているモータは、ステータコイルが巻回されたステータと、ロータとを有する。前記ロータは、例えば特開２００１−２６８９５４号公報（特許文献１）や特開平８−２６２１５９号公報（特許文献２）に開示されている如く、ロータ軸の中央部の外周に一体的にロータピニオンが形成されたモータ部品、或いは、ロータピニオンとこれに隣接してロータ軸に永久マグネットが装着されたモータ部品である。ロータ軸は、地板や輪列受に形成された軸受によって回転自在に支持されている。
【０００３】
ロータの回転トルクは他の番車よりも小さく、スムーズな回転を確保するためには、ロータ軸と軸受との接触抵抗を可能な限り減らす必要がある。そこで、接触抵抗を減らすための構造がロータに採用されている。第１の構造は、特許文献２に開示されている如く、ロータ軸の両端部にホゾを形成し、軸受をホゾ穴とするロータ軸と軸受の構造において、前記ホゾ又はホゾ穴に潤滑性被膜を形成させたロータ構造である。しなしながら、第１のロータ構造では、潤滑性被膜を形成させるという新たな処理が加わるので、製品コストの上昇をもたらすという問題がある。
【０００４】
ロータに採用されている接触抵抗を減らすための第２の構造は、ロータ軸の両端部にホゾを形成し、地板や輪列受に形成されたホゾ穴で前記ホゾを軸支するロータ構造であって、前記ホゾとホゾ穴の径を可能な限り小さくし、接触抵抗を減少させたものである。ところが、第２のロータ構造では、電子時計に衝撃が加わると、ロータがホゾの部分で折れてしまうという問題があった。ホゾには集中応力がかかるため、径の小さいホゾは集中応力に耐え切れないかのである。
【０００５】
特開平１１−９４９５６号公報（特許文献３）には、ロータ軸の両端部にホゾを形成し、地板や輪列受に形成されたホゾ穴で前記ホゾを軸支するロータ構造を採用した電子時計において、ロータが衝撃等で大きく軸方向に移動できるようにしたものが開示されている。すなわち、ホゾ穴の開口部を漏斗状に形成した構造である。これは耐衝撃構造の一つではあるはある。しかしながら、この耐衝撃構造はロータの軸方向に大きな衝撃が加わったときに有効なものであるが、それ以外の方向の衝撃に対しては効果がない。従ってホゾ径を可能な限り小さくした電子時計のロータ構造には適用できないものである。
【０００６】
特開２００２−２５０７８１号公報（特許文献４）には、発電機のロータを振動重錘を介して駆動するためのアンチショック伝達装置であって、ピニオンが設けられ且つホイールの歯に噛合する中軸と、ロータのピニオンに噛合する外側歯が設けられたバレルにより形成される中間歯車と、前記中軸及びバレルに回転中に弾性的に連結する螺旋状スプリングを有するものが開示されている。衝撃吸収部材として螺旋状スプリングを用いたものであるが、複数の部品を必要とする複雑な耐衝撃構造であるため、ホゾ径を可能な限り小さくした電子時計のロータ構造には適用できないものである。
【０００７】
【特許文献１】特開２００１−２６８９５４号公報
【特許文献２】特開平８−２６２１５９号公報
【特許文献３】特開平１１−９４９５６号公報
【特許文献４】特開２００２−２５０７８１号公報
【発明の開示】
【発明が解決しようとする課題】
【０００８】
本発明が解決しようとする課題は、ホゾ径を可能な限り小さくした電子時計において、時刻修正時に外部衝撃が加わっても、ロータ軸がずれたり、折損したりしないようにすることである。
【課題を解決するための手段】
【０００９】
上記課題を解決する電子時計は、ロータマグネットが取り付けられたロータであってロータ軸にはホゾが且つ軸受にはホゾ穴がそれぞれ形成されたロータと前記ロータと電磁的に作用するステータとで構成された時計用モータを備えた電子時計において、前記軸受を衝撃吸収部材によって支持したことを特徴とするものである。
【００１０】
前記軸受は肉厚円筒部材であって、前記衝撃吸収部材は地板や輪列受から前記軸受まで延伸した板バネである。前記板バネは、地板や輪列受から前記軸受まで直線的に延伸した腕状板バネ、又は、渦巻き状に延伸した渦巻き状板バネである。又は、前記衝撃吸収部材は、ホゾ穴として機能するコイルバネである。そして、前記コイルバネの端部は地板や輪列受に形成された支持穴に装着されている。
【発明の効果】
【００１１】
本発明においては、時刻修正時に外部衝撃が加わっても、この外部衝撃はロータの軸受に備えられた衝撃吸収部材によって吸収されるから、ロータ軸が外部衝撃によってずれたり、折損したりすることがなくなった。従って、時刻修正時に外部衝撃が加わっても、秒針がずれない電子時計が提供された。
【発明を実施するための最良の形態】
【００１２】
本発明に係る電子時計は、ホゾを有するロータ軸とホゾ穴を有する軸受とからなるロータと前記ロータと電磁的に作用するステータとで構成された時計用モータを備えた電子時計において、前記軸受にホゾ穴を有する中心部と前記中心部を支持する腕部とで構成された衝撃吸収部材を付加したこと特徴とするものである。
【実施例１】
【００１３】
本発明の実施例１の電子時計は、主要部の断面図である図１に示す如く、ロータ軸１１にロータピニオン１２とロータマグネット１３が装着されたロータ１０と、ステータコイル４を有するステータとからなる時計用モータを備えたものである。
【００１４】
ロータ１０は、ロータ軸１１と上側軸受１４と下側軸受１５を有する。ロータ軸１１には、上ホゾ１１ａと下ホゾ１１ｂが形成されている。上側軸受１４は、上ホゾ１１ａを受けるホゾ穴１４ａが形成された肉厚円筒部材であり、輪列受２から延伸した上側板バネ２１によって支持されている。また、下側軸受１５は、下ホゾ１１ｂを受けるホゾ穴１５ａが形成された肉厚円筒部材であり、地板１から延伸した下側板バネ２２によって支持されている。
【００１５】
上側板バネ２１は、図２に示す如く、基本的には３種類の基本的形状の板バネである。上側板バネ２１は、輪列受２と上側軸受１４と一体に形成されることが望ましい。
【００１６】
第１形状の上側板バネ２１は、図２（Ａ）に示す如く等角度間隔に放射状に配置された３本の弾性腕２１ａによって上側軸受１４を支持するものである。
【００１７】
第２形状の上側板バネ２１は、図２（Ｂ）に示す如く１本の弾性腕２１ｂによって上側軸受１４を支持するものである。
【００１８】
第３形状の上側板バネ２１は、図２（Ｃ）に示す如くらせん状腕２１ｃによって上側軸受１４を支持するものである。
【００１９】
下側板バネ２２は、図２に示す如く、基本的には３種類の基本的形状の板バネである。下側板バネ２２は、地板１と下側軸受１５と一体に形成されることが望ましい。
【００２０】
第１形状の下側板バネ２２は、図２（Ａ）に示す如く等角度間隔に放射状に配置された３本の弾性腕２２ａによって下側軸受１５を支持するものである。
【００２１】
第２形状の下側板バネ２２は、図２（Ｂ）に示す如く１本の弾性腕２２ｂによって下側軸受１５を支持するものである。
【００２２】
第３形状の下側板バネ２２は、図２（Ｃ）に示す如くらせん状腕２２ｃによって下側軸受１５を支持するものである。
【００２３】
ロータ軸１１が図２（Ａ）に示す第１形状の上側板バネ２１と下側板バネ２２を用いた衝撃吸収部材によって支持されている上側軸受１４と下側軸受１５で案内されている実施例１の電子時計においては、ロータ軸１１は衝撃が加わらない状態では所定の位置に安定的に保持されているが、外部衝撃が加わると軸方向に動くことができる。従って、特に軸方向成分を有する外部衝撃に対する耐衝撃性が優れて、時刻修正時に外部衝撃が加わっても秒針がずれない電子時計が提供された。
【００２４】
また、ロータ軸１１が図２（Ｂ）に示す第２形状の上側板バネ２１と下側板バネ２２を用いた衝撃吸収部材によって支持されている上側軸受１４と下側軸受１５で案内されている実施例１の電子時計においては、ロータ軸１１は衝撃が加わらない状態では所定の位置に安定的に保持されているが、外部衝撃が加わると軸方向と軸に直角で且つ１本の弾性腕と同一平面方向に動くことができる。従って、特に軸方向成分と軸に直角で且つ１本の弾性腕と同一平面方向の成分を有する外部衝撃に対する耐衝撃性が優れ、時刻修正時に外部衝撃が加わっても、秒針がずれない電子時計が提供された。
【００２５】
更にまた、ロータ軸１１が図２（Ｃ）に示す第３形状の上側板バネ２１と下側板バネ２２を用いた衝撃吸収部材によって支持されている上側軸受１４と下側軸受１５で案内されている実施例１の電子時計においては、ロータ軸１１は衝撃が加わらない状態では所定の位置に安定的に保持されているが、外部衝撃が加わると縦横斜めのいずれの方向にも動くことができる。従って、どのような方向成分の衝撃に対しても耐衝撃性が優れており、時刻修正時に外部衝撃が加わっても秒針がずれない電子時計が提供された。
【実施例２】
【００２６】
本発明の実施例２の電子時計は、主要部の断面図である図３に示す如く、ロータ軸１１にロータピニオン１２とロータマグネット１３が装着されたロータ１０と、ステータコイル４を有するステータとからなる時計用モータを備えたものである。
【００２７】
ロータ１０は、ロータ軸１１と上側軸受と下側軸受を有する。ロータ軸１１には、上ホゾ１１ａと下ホゾ１１ｂが形成されている。
【００２８】
前記上側軸受は、上側コイルバネ収納穴２ａ、円錐状凹部２ｂ、及び上側コイルバネ２３とで構成されている。上側コイルバネ収納穴２ａと円錐状凹部２ｂは輪列受２に一体に形成されている。上側コイルバネ２３の一端は、上側コイルバネ収納穴２ａに装着されている。そして、ロータ軸１１の上ホゾ１１ａは、上側コイルバネ２３の自由端側から挿入され、上側コイルバネ２３によって保持されている。
【００２９】
また、前記下側軸受は、下側コイルバネ収納穴１ａ、円錐状凹部１ｂ、及び下側コイルバネ２４とで構成されている。下側コイルバネ収納穴１ａと円錐状凹部１ｂは地板１に一体に形成されている。下側コイルバネ２４の一端は、下側コイルバネ収納穴１ａに装着されている。そして、ロータ軸１１の下ホゾ１１ｂは、下側コイルバネ２４の自由端側から挿入され、下側コイルバネ２４によって保持されている。地板１に形成された円錐状凹部１ｂと輪列受２に形成された円錐状凹部２ｂは、上側コイルバネ２３と下側コイルバネ２４とで支持されているロータ軸１１が、外部衝撃を受けたときに縦横斜めのいずれの方向にも動けるようなスペースとして機能する。
【００３０】
実施例２の電子時計において、ロータ軸１１が上述の如く、ロータ軸１１が衝撃吸収部材である上側コイルバネ２３と下側コイルバネ２４とで支持されている。こ１１ロータ軸１１は衝撃が加わらない状態では所定の位置に安定的に保持されているが、外部衝撃が加わると縦横斜めのいずれの方向にも動くことができる。従って、どのような方向成分の衝撃に対しても耐衝撃性が優れており、時刻修正時に外部衝撃が加わっても秒針がずれない電子時計が提供された。
【図面の簡単な説明】
【００３１】
【図１】本発明の実施例１の主要部の断面図である。
【図２】実施例１に衝撃吸収部材として採用される板バネの一例の平面図である。
【図３】本発明の実施例２の主要部の断面図である。
【符号の説明】
【００３２】
１  地板
１ａ  下側コイルバネ収納穴
１ｂ  円錐状凹部
２  輪列受
２ａ  上側コイルバネ収納穴
２ｂ  円錐状凹部
３  五番車
４  ステータコイル
１０  ロータ
１１  ロータ軸
１１ａ  上ホゾ
１１ｂ  下ホゾ
１２  ロータピニオン
１３  ロータマグネット
１４  上側軸受
１４ａ  ホゾ穴
１５  下側軸受
１５ａ  ホゾ穴
２１  上側板バネ
２１ａ  直線状弾性腕
２１ｂ  直線状弾性腕
２１ｃ  渦巻き状弾性腕
２２  下側板バネ
２３  上側コイルバネ
２４  下側コイルバネ
【図１】
2006226771.tif 000003
【図２】
2006226771.tif 000004
【図３】
2006226771.tif 000005